(57)【要約】      （修正有）【課題】アンテナから放射される電磁波が内部に侵入することを防ぐシールド構造を提供する。【解決手段】一対の端子Ｔを設けたメインフレーム２と、表裏一対のカバー３，４とを有し、各カバー３，４の各端子Ｔに対向する舌片３ｂ，４ｂの先端から略直角に折り曲げた延長板３ｃ，４ｃが設けられており、該各延長板３ｃ，４ｃが略Ｕ字状に形成され、その略Ｕ字状延長板３ｃ，４ｃの両先端部間の間隔Ｈ１が対向する端子Ｔの外径よりも小さくてその端子Ｔの小径状根元首部の外径よりも大きく設定されており、各カバー３，４をメインフレーム２の前後両開口部２Ａに被せたときに各略Ｕ字状延長板３ｃ，４ｃを各端子Ｔの根元首部に係合させ、各端子Ｔを間に挟んで互いに対向する両略Ｕ字状延長板３ｃ，４ｃの先端部どうしを弾性的に当接させると共に、その外側の略Ｕ字状延長板４ｃの先端部を根元首部と端子Ｔとの間の段部に弾性的に当接させるようにした。【選択図】図１
2006067028.tif 000002
【特許請求の範囲】
【請求項１】
天板及び底板と内外両側板とを枠状に一体連結しその外側板にアンテナ及びテレビジョ
ン用の一対の端子を設けた矩形箱状の金属製メインフレームと、表裏一対の金属製カバー
とを有し、前記各カバーの側縁から直角に折り曲げた係止片をメインフレームの外周面に
一体突設した突起部に係合させることにより、その各カバーがメインフレームの前後両開
口部に被せられ、前記各カバーの側縁の前記各端子に対向する部分を間に挟んで一対のス
リットを形成し、その両スリットで挟まれた各舌片をメインフレームの外側板に当接させ
るようにした端子付きチューナにおいて、前記各舌片の先端から略直角に折り曲げた延長
板が設けられており、該各延長板が略Ｕ字状に形成され、その略Ｕ字状延長板の両先端部
間の間隔が対向する端子の外径よりも小さくてその端子の小径状根元首部の外径よりも大
きく設定されており、各カバーをメインフレームの前後両開口部に被せたときに各略Ｕ字
状延長板を各端子の根元首部に係合させ、各端子を間に挟んで互いに対向する両略Ｕ字状
延長板の先端部どうしを弾性的に当接させると共に、その外側の略Ｕ字状延長板の先端部
を根元首部と端子との間の段部に弾性的に当接させるようにしたことを特徴とする端子付
きチューナ。
【請求項２】
天板及び底板と内外両側板とを枠状に一体連結しその外側板にアンテナ及びテレビジョ
ン用の一対の端子を設けた矩形箱状の金属製メインフレームと、表裏一対の金属製カバー
とを有し、前記各カバーの側縁から直角に折り曲げた係止片をメインフレームの外周面に
一体突設した突起部に係合させることにより、その各カバーがメインフレームの前後両開
口部に被せられ、前記各カバーの側縁の前記各端子に対向する部分を間に挟んで一対のス
リットを形成し、その両スリットで挟まれた各舌片をメインフレームの外側板に当接させ
るようにした端子付きチューナにおいて、前記各舌片の先端から略直角に折り曲げた延長
板が設けられており、一方のカバーの延長板が略Ｏ字状に形成されると共に、他方のカバ
ーの延長板が略Ｌ字状に形成され、前記略Ｏ字状延長板の貫通孔の内径が対向する端子の
外径よりもわずかに大きく設定されており、各カバーをメインフレームの前後両開口部に
被せたときに各略Ｏ字状延長板の貫通孔を各端子に外嵌させると共に、各略Ｌ字状延長板
の先端を各略Ｏ字状延長板の先端に弾性的に係合させるようにしたことを特徴とする端子
付きチューナ。
【請求項３】
天板及び底板と内外両側板とを枠状に一体連結しその外側板にアンテナ及びテレビジョ
ン用の一対の端子を設けた矩形箱状の金属製メインフレームと、表裏一対の金属製カバー
とを有し、前記各カバーの側縁から直角に折り曲げた係止片をメインフレームの外周面に
一体突設した突起部に係合させることにより、その各カバーがメインフレームの前後両開
口部に被せられた端子付きチューナにおいて、前記各カバーの側縁の前記各端子に対向す
る部分を間に挟んで一対のスリットを形成し、その両スリットで挟まれた各舌片の先端か
ら略直角に折り曲げた延長板が設けられており、各カバーをメインフレームの前後両開口
部に被せたときに各延長板で各舌片とメインフレームとの間の隙間を塞ぐようにしたこと
を特徴とする端子付きチューナ。
【請求項４】
前記各延長板が略Ｕ字状に形成され、その略Ｕ字状延長板の両先端部間の間隔が対向す
る端子の外径よりも小さくてその端子の小径状根元首部の外径よりも大きく設定されてお
り、各カバーをメインフレームの前後両開口部に被せたときに各略Ｕ字状延長板を各端子
の根元首部に係合させ、各端子を間に挟んで互いに対向する両略Ｕ字状延長板の先端部ど
うしを弾性的に当接させると共に、その外側の略Ｕ字状延長板の先端部を根元首部と端子
との間の段部に弾性的に当接させるようにしたことを特徴とする請求項３に記載の端子付
きチューナ。
【請求項５】
前記一方のカバーの延長板が略Ｏ字状に形成されると共に、他方のカバーの延長板が略
Ｌ字状に形成され、前記略Ｏ字状延長板の貫通孔の内径が対向する端子の外径よりもわず
かに大きく設定されており、各カバーをメインフレームの前後両開口部に被せたときに各
略Ｏ字状延長板の貫通孔を各端子に外嵌させると共に、各略Ｌ字状延長板の先端を各略Ｏ
字状延長板の先端に弾性的に係合させるようにしたことを特徴とする請求項３に記載の端
子付きチューナ。
【発明の詳細な説明】
【技術分野】
【０００１】
本発明は、例えば磁気テープ装置やＤＶＤレコーダなどに設けられるアンテナ及びテレ
ビジョン用の一対の端子を備えた端子付きチューナに関し、アンテナから放射される電磁
波が内部に侵入して内部回路の動作に悪影響を及ぼさないようにするものである。
【背景技術】
【０００２】
従来、端子付きチューナの技術として特許文献１などに記載したものがあり、その一例
を図９〜図１４に基づいて説明すると、これは、磁気テープ装置１に設けられるものであ
って、天板２ａ及び底板２ｂと内外両側板２ｃ，２ｄとを枠状に一体連結しその外側板２
ｃにアンテナ及びテレビジョン用の一対の端子Ｔを設けた矩形箱状の金属製メインフレー
ム２と、表裏一対の金属製カバー３，４とを有し、前記各カバー３，４の側縁から直角に
折り曲げた係止片３ａ，４ａをメインフレーム２の外周面に一体突設した突起部５に係合
させることにより、その各カバー３，４がメインフレーム２の前後両開口部２Ａに被せら
れ、前記各カバー３，４の側縁の各端子Ｔに対向する部分を間に挟んで一対のスリット６
を形成し、その両スリット６で挟まれた各舌片３ｂ，４ｂをメインフレーム２の外側板２
ｃに当接させている。なお、図１２中、７はプリント基板である。
【０００３】
上記構成において、上側端子Ｔにアンテナを接続すると共に、下側端子Ｔにテレビジョ
ンを接続し、アンテナに誘導した電磁波の中から希望の電磁波を選択し、増幅しやすい中
間周波数に変換してテレビジョンに出力する。
【特許文献１】実開平４−７０７９０号公報
【発明の開示】
【発明が解決しようとする課題】
【０００４】
上記構成では、各係止片３ａ，４ａを突起部５に係合させることにより、表裏両カバー
３，４をメインフレーム２に密着させて、アンテナから放射される電磁波が内部に侵入し
ないようにしているが、外側板２ｃの各端子Ｔが設けられている部分では、その各端子Ｔ
から外側板２ｃの側縁までの間隔ｔ（図１３参照）が狭いため、その部分の係止手段とし
て前記係止具（係止片３ａ，４ａと突起部５）を採用することができない。
【０００５】
そこで、各カバー３，４の側縁の各端子Ｔに対向する部分を間に挟んで一対のスリット
６を形成し、その両スリット６で挟まれた各舌片３ｂ，４ｂを若干内側に折り曲げてメイ
ンフレーム２の外側板２ｃに当接させるようにしているが、これでは、製作誤差などによ
り各舌片３ｂ，４ｂと外側板２ｃとの間に隙間α（図１３及び図１４参照）が生じること
があり、その隙間αの発生により、アンテナから放射される電磁波が内部に侵入して内部
回路の動作に悪影響を及ぼすおそれがある。
【０００６】
本発明は、上記従来の欠点に鑑み、アンテナから放射される電磁波が内部に侵入しない
ようにした端子付きチューナを提供することを目的としている。
【課題を解決するための手段】
【０００７】
上記目的を達成するため、請求項１に記載の発明は、天板及び底板と内外両側板とを枠
状に一体連結しその外側板にアンテナ及びテレビジョン用の一対の端子を設けた矩形箱状
の金属製メインフレームと、表裏一対の金属製カバーとを有し、前記各カバーの側縁から
直角に折り曲げた係止片をメインフレームの外周面に一体突設した突起部に係合させるこ
とにより、その各カバーがメインフレームの前後両開口部に被せられ、前記各カバーの側
縁の前記各端子に対向する部分を間に挟んで一対のスリットを形成し、その両スリットで
挟まれた各舌片をメインフレームの外側板に当接させるようにした端子付きチューナにお
いて、前記各舌片の先端から略直角に折り曲げた延長板が設けられており、該各延長板が
略Ｕ字状に形成され、その略Ｕ字状延長板の両先端部間の間隔が対向する端子の外径より
も小さくてその端子の小径状根元首部の外径よりも大きく設定されており、各カバーをメ
インフレームの前後両開口部に被せたときに各略Ｕ字状延長板を各端子の根元首部に係合
させ、各端子を間に挟んで互いに対向する両略Ｕ字状延長板の先端部どうしを弾性的に当
接させると共に、その外側の略Ｕ字状延長板の先端部を根元首部と端子との間の段部に弾
性的に当接させるようにしたことを特徴としている。
【０００８】
請求項２に記載の発明は、天板及び底板と内外両側板とを枠状に一体連結しその外側板
にアンテナ及びテレビジョン用の一対の端子を設けた矩形箱状の金属製メインフレームと
、表裏一対の金属製カバーとを有し、前記各カバーの側縁から直角に折り曲げた係止片を
メインフレームの外周面に一体突設した突起部に係合させることにより、その各カバーが
メインフレームの前後両開口部に被せられ、前記各カバーの側縁の前記各端子に対向する
部分を間に挟んで一対のスリットを形成し、その両スリットで挟まれた各舌片をメインフ
レームの外側板に当接させるようにした端子付きチューナにおいて、前記各舌片の先端か
ら略直角に折り曲げた延長板が設けられており、一方のカバーの延長板が略Ｏ字状に形成
されると共に、他方のカバーの延長板が略Ｌ字状に形成され、前記略Ｏ字状延長板の貫通
孔の内径が対向する端子の外径よりもわずかに大きく設定されており、各カバーをメイン
フレームの前後両開口部に被せたときに各略Ｏ字状延長板の貫通孔を各端子に外嵌させる
と共に、各略Ｌ字状延長板の先端を各略Ｏ字状延長板の先端に弾性的に係合させるように
したことを特徴としている。
【０００９】
請求項３に記載の発明は、天板及び底板と内外両側板とを枠状に一体連結しその外側板
にアンテナ及びテレビジョン用の一対の端子を設けた矩形箱状の金属製メインフレームと
、表裏一対の金属製カバーとを有し、前記各カバーの側縁から直角に折り曲げた係止片を
メインフレームの外周面に一体突設した突起部に係合させることにより、その各カバーが
メインフレームの前後両開口部に被せられた端子付きチューナにおいて、前記各カバーの
側縁の前記各端子に対向する部分を間に挟んで一対のスリットを形成し、その両スリット
で挟まれた各舌片の先端から略直角に折り曲げた延長板が設けられており、各カバーをメ
インフレームの前後両開口部に被せたときに各延長板で各舌片とメインフレームとの間の
隙間を塞ぐようにしたことを特徴としている。
【００１０】
請求項４に記載の発明は、請求項３に記載の発明において、前記各延長板が略Ｕ字状に
形成され、その略Ｕ字状延長板の両先端部間の間隔が対向する端子の外径よりも小さくて
その端子の小径状根元首部の外径よりも大きく設定されており、各カバーをメインフレー
ムの前後両開口部に被せたときに各略Ｕ字状延長板を各端子の根元首部に係合させ、各端
子を間に挟んで互いに対向する両略Ｕ字状延長板の先端部どうしを弾性的に当接させると
共に、その外側の略Ｕ字状延長板の先端部を根元首部と端子との間の段部に弾性的に当接
させるようにしたことを特徴としている。
【００１１】
請求項５に記載の発明は、請求項３に記載の発明において、前記一方のカバーの延長板
が略Ｏ字状に形成されると共に、他方のカバーの延長板が略Ｌ字状に形成され、前記略Ｏ
字状延長板の貫通孔の内径が対向する端子の外径よりもわずかに大きく設定されており、
各カバーをメインフレームの前後両開口部に被せたときに各略Ｏ字状延長板の貫通孔を各
端子に外嵌させると共に、各略Ｌ字状延長板の先端を各略Ｏ字状延長板の先端に弾性的に
係合させるようにしたことを特徴としている。
【発明の効果】
【００１２】
請求項１に記載の発明は、第１の実施の形態（図１〜図４参照）に対応するものであっ
て、これによれば、各カバーの各端子に対向する舌片とメインフレームとの間に隙間が生
じても、その隙間を各舌片の先端から略直角に折り曲げた延長板により塞ぐので、アンテ
ナから放射される電磁波が内部に侵入して内部回路の動作に悪影響を及ぼすことがなく、
ノイズの無い鮮明な映像を受信することができる。
【００１３】
特に、各延長板を略Ｕ字状に形成して各端子の小径状根元首部に係合させることにより
、該各延長板をメインフレームの外側板に接近または当接させた状態で保持しているので
、その延長板により舌片とメインフレームとの間の隙間を一層確実に塞ぐことができる。
【００１４】
請求項２に記載の発明は、第２の実施の形態（図５〜図８参照）に対応するものであっ
て、これによれば、請求項１に記載の発明とほぼ同様の効果を得ることができ、特に、一
方のカバーの延長板を略Ｏ字状に形成して各端子に外嵌させると共に、他方のカバーの延
長板を略Ｌ字状に形成して対向する略Ｏ字状延長板に弾性的に係合させることにより、該
各延長板をメインフレームの外側板に接近または当接させた状態で保持しているので、そ
の各延長板により舌片とメインフレームとの間の隙間を一層確実に塞ぐことができる。
【００１５】
請求項３に記載の発明は、基本形態に対応するものであって、これによれば、各カバー
の舌片とメインフレームとの間に隙間が生じても、その隙間を各舌片の先端から略直角に
折り曲げた延長板により塞ぐので、アンテナから放射される電磁波が内部に侵入して内部
回路の動作に悪影響を及ぼすことがなく、ノイズの無い鮮明な映像を受信することができ
る。
【００１６】
請求項４に記載の発明によれば、各延長板を略Ｕ字状に形成して各端子の小径状根元首
部に係合させることにより、該各延長板をメインフレームの外側板に接近または当接させ
た状態で保持しているので、その延長板により舌片とメインフレームとの間の隙間を一層
確実に塞ぐことができる。
【００１７】
請求項５に記載の発明によれば、一方のカバーの延長板を略Ｏ字状に形成して各端子に
外嵌させると共に、他方のカバーの延長板を略Ｌ字状に形成して対向する略Ｏ字状延長板
に弾性的に係合させることにより、該各延長板をメインフレームの外側板に接近または当
接させた状態で保持しているので、その各延長板により舌片とメインフレームとの間の隙
間を一層確実に塞ぐことができる。
【発明を実施するための最良の形態】
【００１８】
図１〜図４は本発明の第１の実施の形態である端子付きチューナを示すものであって、
各カバー３，４の各端子Ｔに対向する舌片３ｂ，４ｂの先端から略直角に折り曲げた延長
板３ｃ，４ｃが設けられ、該各延長板３ｃ，４ｃが略Ｕ字状に形成され、その略Ｕ字状延
長板３ｃ，４ｃの両先端部間の間隔Ｈ１が対向する端子Ｔの外径Ｄ１よりも小さくてその
端子Ｔの小径状根元首部Ｔａの外径Ｄ２よりも大きく設定されている。上記以外の構成は
図９〜図１４に示す構成とほぼ同じであるから、同一部分に同一符号を付してその説明を
省略する。
【００１９】
組立手順を説明すると、各カバー３，４をメインフレーム２の前後両開口部２Ａに被せ
ることにより、各略Ｕ字状延長板３ｃ，４ｃを各端子Ｔの根元首部Ｔａに係合させ、各端
子Ｔを間に挟んで互いに対向する両略Ｕ字状延長板３ｃ，４ｃの先端部どうしを弾性的に
当接させると共に、その外側の略Ｕ字状延長板４ｃの先端部を根元首部Ｔａと端子Ｔとの
間の段部Ｔｂに弾性的に当接させる。
【００２０】
上記構成によれば、各カバー３，４の各端子Ｔに対向する舌片３ｂ，４ｂとメインフレ
ーム２との間に隙間αが生じても、その隙間αを各舌片３ｂ，４ｂの先端から略直角に折
り曲げた延長板３ｃ，４ｃにより塞ぐので、アンテナから放射される電磁波が内部に侵入
して内部回路の動作に悪影響を及ぼすことがなく、ノイズの無い鮮明な映像を受信するこ
とができる。
【００２１】
特に、各延長板３ｃ，４ｃを略Ｕ字状に形成して各端子Ｔの小径状根元首部Ｔａに係合
させることにより、該各延長板３ｃ，４ｃをメインフレーム２の外側板２ｃに接近または
当接させた状態で保持しているので、その延長板３ｃ，４ｃにより各舌片３ｂ，４ｂとメ
インフレーム２との間の隙間αを一層確実に塞ぐことができる。
【００２２】
図５〜図８は本発明の第２の実施の形態である端子付きチューナを示すものであって、
各カバー３，４の各端子Ｔに対向する舌片３ｂ，４ｂの先端から略直角に折り曲げた延長
板３ｄ，４ｄが設けられ、その一方の延長板３ｄが略Ｏ字状に形成されると共に、他方の
延長板４ｄが略Ｌ字状に形成され、略Ｏ字状延長板３ｄの貫通孔９の内径Ｈ２が対向する
端子Ｔの外径Ｄ１よりもわずかに大きく設定されている。上記以外の構成は図１〜図４に
示す第１の実施の形態とほぼ同じであるから、同一部分に同一符号を付してその説明を省
略する。
【００２３】
組立手順を説明すると、各カバー３，４をメインフレーム２の前後両開口部２Ａに被せ
ることにより、各略Ｏ字状延長板３ｄの貫通孔９を各端子Ｔに外嵌させると共に、各略Ｌ
字状延長板４ｄの先端を各略Ｏ字状延長板３ｄの先端に弾性的に係合させる。
【００２４】
上記構成によれば、第１の実施の形態とほぼ同様の効果を得ることができ、特に、一方
のカバー３の延長板３ｄを略Ｏ字状に形成して各端子Ｔに外嵌させると共に、他方のカバ
ー４の延長板４ｄを略Ｌ字状に形成して対向する略Ｏ字状延長板３ｄに弾性的に係合させ
、これによって、該各延長板３ｄ，４ｄをメインフレーム２の外側板２ｃに接近または当
接させた状態で保持しているので、その各延長板３ｄ，４ｄにより各舌片３ｂ，４ｂとメ
インフレーム２との間の隙間αを一層確実に塞ぐことができる。
【図面の簡単な説明】
【００２５】
【図１】本発明の第１の実施の形態である端子付きチューナの側面図である。
【図２】同分解側面図である。
【図３】（ａ）は図１のＡ−Ａ矢視図、（ｂ）は要部の拡大横断面図である。
【図４】同要部の斜視図である。
【図５】本発明の第２の実施の形態である端子付きチューナの側面図である。
【図６】同分解側面図である。
【図７】（ａ）は図５のＢ−Ｂ矢視図、（ｂ）は要部の拡大横断面図である。
【図８】同要部の斜視図である。
【図９】従来例を示す斜視図である。
【図１０】同側面図である。
【図１１】同分解側面図である。
【図１２】図１０のＣ−Ｃ矢視図である。
【図１３】図１０のＤ−Ｄ矢視図である。
【図１４】同要部の斜視図である。
【符号の説明】
【００２６】
２          メインフレーム
２ａ        メインフレームの天板
２ｂ        メインフレームの底板
２ｃ        メインフレームの外側板
２ｄ        メインフレームの内側板
２Ａ        メインフレームの開口部
３，４      カバー
３ａ，４ａ  係止片
３ｂ，４ｂ  舌片
３ｃ，４ｃ  略Ｕ字状延長板
３ｄ        略Ｏ字状延長板
４ｄ        略Ｌ字状延長板
５          突起部
６          スリット
９          略Ｏ字状延長板の貫通孔
Ｔ          端子
Ｔａ        端子の根元首部
Ｔｂ        根元首部と端子との間の段部
Ｄ１        端子の外径
Ｄ２        根元首部の外径
Ｈ１        略Ｕ字状延長板の両先端部間の間隔
Ｈ２        貫通孔の内径
【図１】
2006067028.tif 000003
【図２】
2006067028.tif 000004
【図３】
2006067028.tif 000005
【図４】
2006067028.tif 000006
【図５】
2006067028.tif 000007
【図６】
2006067028.tif 000008
【図７】
2006067028.tif 000009
【図８】
2006067028.tif 000010
【図９】
2006067028.tif 000011
【図１０】
2006067028.tif 000012
【図１１】
2006067028.tif 000013
【図１２】
2006067028.tif 000014
【図１３】
2006067028.tif 000015
【図１４】
2006067028.tif 000016